(57)【要約】【課題】従来のコンクリート製品に比し軽量で作業性がよく、製作が簡易であるとともに、設置した際の景観を損なうことのない外観性にも優れた新規な縁石排水溝の構造を提供する。【解決手段】鋼板からなる底板部１２，背板部１３，上面部１４，前板部１６によって縁石形状の枠体として形成してなる筒状本体１１を有する縁石排水溝であって、前記筒状本体１１の前記上面部１４には、適宜の植木鉢等を載置可能とした凹部１５が形成されてなることを特徴とする。【選択図】図１
0003105094.tif 000002
【実用新案登録請求の範囲】
【請求項１】
鋼板よりなる縁石形状を有する筒状本体（１１）の上面に植木鉢を載置する凹部が形成されてなることを特徴とする縁石排水溝。
【考案の詳細な説明】
【技術分野】
【０００１】
本考案は、道路や駐車場、特に橋梁等に設置される縁石排水溝の構造に関する。
【背景技術】
【０００２】
従来、道路や駐車場、特に橋梁等に設置される路面用排水溝の構造としては、例えば、アスファルト等で形成した路面の端部の縁石ブロックの内側に沿ってコンクリート製の排水溝本体を敷設し、路面表面から雨水等を集水すると同時に、路面内に浸透した水を導入するように構成される。従来のこの種路面用排水溝の構造では、特に橋梁等に設置する場合、排水溝本体や縁石ブロック等をコンクリートで形成し、それぞれ個別に設置することが主流となっている。そのため、製作や運搬、現場での施工作業が煩雑となるばかりでなく、重量が嵩み、修理や交換などに際しても大がかりな土木工事を必要とし、工期やコスト等の面において問題があった。
【０００３】
この種路面用排水溝の構造において、自動車が路面から逸脱することを防止する縁石と、路面の排水を行う排水溝とを一体に形成した鋼板からなる縁石排水溝が知られている（例えば、特許第３３６１５０５号公報参照。）。この縁石排水溝は、略Ｌ字型に形成された筒状本体からなり、該筒状本体の水平面に透水孔を設けて、前記水平面が路面高さとなるよう埋設される。このような縁石排水溝では、略Ｌ字型の筒状本体の上部が縁石として利用されるとともに、前記水平面に設けられた透水孔から路面の雨水等を集水するように構成される。
【０００４】
ところで、近年では、縁石排水溝としての機能ばかりでなく、設置場所の景観を損なうことのない、外観性にも優れた縁石排水溝が求められている。
【考案の開示】
【考案が解決しようとする課題】
【０００５】
本考案は前記の点に鑑みなされたものであり、従来のコンクリート製品に比し軽量で作業性がよく、製作が簡易であるとともに、設置した際の景観を損なうことのない外観性にも優れた新規な縁石排水溝の構造を提供するものである。
【課題を解決するための手段】
【０００６】
すなわち、請求項１の考案は、鋼板よりなる縁石形状を有する筒状本体（１１）の上面に植木鉢を載置する凹部が形成されてなることを特徴とする縁石排水溝に係る。
【考案の効果】
【０００７】
請求項１の考案に係る縁石排水溝によれば、鋼板よりなる縁石形状を有する筒状本体の上面に植木鉢を載置する凹部が形成されていることによって、該縁石排水溝の設置場所の景観に適した植木鉢を前記凹部に載置することができるので、前記設置場所の景観が損なわれることがなく、外観性に優れる。また、この構造にあっては、金属板を加工した金属製であるために、縁石形状を有する筒状本体の形成を含め加工が容易であるとともに、耐久性に優れ、従来のコンクリート製品に比して軽量で、現場での作業性も大幅に簡略化でき、工期も短縮することができる。
【考案を実施するための最良の形態】
【０００８】
以下添付の図面に従ってこの考案を詳細に説明する。
図１はこの考案の一実施例に係る縁石排水溝の構造を示す斜視図、図２は同縁石排水溝の構造を示す断面図、図３は鉢載置部材の一実施例を示す斜視図、図４は他の実施例に係る縁石排水溝の構造を示す斜視図、図５は図４の縁石排水溝の構造を示す断面図である。
【０００９】
図１及び図２に示したように、この考案の縁石排水溝１０は、鋼板よりなる縁石形状を有する筒状本体１１の上面１４に植木鉢を載置する凹部１５が形成されてなることを特徴とする。図において、符号４１は縁石排水溝１０を適宜の設置場所に固定する取付固定部材、４２は筒状本体１１の下部に取付けられた側壁部、４３は側壁部４２に形成された透水孔、Ｒは透水性舗装部、Ｒ１は透水層、Ｒ２は基層、Ｍは土層、Ｂは縁石ブロックを表す。
【００１０】
筒状本体１１は鋼板からなる底板部１２，背板部１３，上面部１４，前板部１６によって縁石形状の枠体として形成してなるもので、自動車が路面から逸脱することを防止する縁石の役割を果たすとともに、後記の格子部２０や各透水孔から集水した雨水等を適宜の配水管等へ排水する。
【００１１】
凹部１５は、筒状本体１１の上面部１４に形成され、適宜の植木鉢等を載置可能にしたものであるため、当該縁石排水溝１０を適宜の設置場所に設置した場合でも、前記設置場所の景観を損なうことがない。また、実施例では、図１ないし図３に図示のように、取手部３１と鉢載置板３２からなる鉢載置部材３０が凹部１５に着脱自在に取り付けるように構成されている。これにより、当該縁石排水溝１０への植木鉢の設置及び交換等の作業を極めて簡易に行うことができる。なお、図において符号１７は筒状本体１１に設けられた鉢載置部材３０の取付板、３３は鉢載置部材３０の固定部材、３４は鉢載置板３２に形成された透水孔である。
【００１２】
格子部２０は、筒状本体１１の前板部１６に形成され、該筒状本体１１内に落ち葉やゴミ等が進入しないようにするものである。また、図示のように、実施例の格子部２０では、筒状本体１１の縦方向に並設された主部材２１と該主部材２１に直交する補強部材２２とからなる格子状に構成しているが、他の構造を採用してもよい。なお、実施例の主部材２１は断面Ｉ字状のもので、補強部材２２はねじり鋼とよばれるものが使用されている。
【００１３】
また、本考案の縁石排水溝１０は、上記の実施例に限定されるものではなく、例えば図４及び図５に示すように、両面に格子部２０Ａ，２０Ｂが形成された筒状本体５１を有する縁石排水溝５０に適用することもできる。図において、符号５２は筒状本体５１の一側の前板部、５３は筒状本体５１の他側の前板部、２１Ａは一側の前板部５２に形成された格子部２０Ａの主部材、２１Ｂは他側の前板部５３に形成された格子部２０Ｂの主部材、２２Ａは格子部２０Ａの補強部材、２２Ｂは格子部２０Ｂの補強部材である。また、縁石排水溝５０において、前述の縁石排水溝１０と同一符号の部材は、該縁石排水溝１０と同様に構成される。
【００１４】
この縁石排水溝５０では、上記のように、筒状本体５１の一側前板部５２と他側前板部５３の両面にそれぞれ格子部２０Ａ，２０Ｂが形成されていることによって、前記格子部２０Ａ，２０Ｂの双方から、路面表面及び内部の水を効率よく集水することができる。そして、このように構成された縁石排水溝５０であっても、前述の縁石排水溝１０と同様に、筒状本体５１の上面部１４に植木鉢を載置するための凹部１５が形成されているので、当該縁石排水溝５０を適宜の設置場所に設置した場合でも、前記設置場所の景観を損なうことがない。
【図面の簡単な説明】
【００１５】
【図１】この考案の一実施例に係る縁石排水溝の構造を示す斜視図である。
【図２】同縁石排水溝の構造を示す断面図である。
【図３】鉢載置部材の一実施例を示す斜視図である。
【図４】他の実施例に係る縁石排水溝の構造を示す斜視図である。
【図５】図４の縁石排水溝の構造を示す断面図である。
【符号の説明】
【００１６】
１０  縁石排水溝
１１  筒状本体
１２  底板部
１３  背板部
１４  上面部
１５  凹部
１６  前板部
２０  格子部
３０  鉢載置部材
【図１】
0003105094.tif 000003
【図２】
0003105094.tif 000004
【図３】
0003105094.tif 000005
【図４】
0003105094.tif 000006
【図５】
0003105094.tif 000007